(57)【特許請求の範囲】
【請求項１】
サービスエリアが複数の地域エリアに分割される移動通信網との無線接続により音声通信が可能で、送話音声信号系に設けた送話音量調節手段に所定の送話音量調節値を設定して送話音量の調節を行うようにした移動通信端末において、
移動通信網の各地域エリア別に、各々移動通信網設備の送話音声伝送特性の地域エリア間の差を打ち消すように差を設けた送話音量調節値を記憶した記憶手段と、
無線基地局から制御チャネルにより通知される位置情報に基づき地域エリアを判別し、該判別した地域エリアに対応して記憶手段に記憶された送話音量調節値を読み出し、送話音量調節手段に設定する設定手段と、
を備えたことを特徴とする移動通信端末。
【請求項２】
サービスエリアが複数の地域エリアに分割される移動通信網との無線接続により音声通信が可能で、受話音声信号系に設けた受話音量調節手段に所定の受話音量調節値を設定して受話音量の調節を行うようにした移動通信端末において、
移動通信網の各地域エリア別に、各々移動通信網設備の受話音声伝送特性の地域エリア間の差を打ち消すように差を設けた所定の受話音量調節値を記憶した記憶手段と、
無線基地局から制御チャネルにより通知される位置情報に基づき地域エリアを判別し、該判別した地域エリアに対応して記憶手段に記憶された受話音量調節値を読み出し、受話音量調節手段に設定する設定手段と、
を備えたことを特徴とする移動通信端末。
【請求項３】
サービスエリアが複数の地域エリアに分割される移動通信網との無線接続により音声通信が可能であり、受話音声信号系に設けられた受話音量を調節する受話音量調節手段と、受話音量可変操作手段での受話音量可変操作位置と所定の対応関係に従う受話音量調節値を受話音量調節手段に設定する受話音量制御手段とを含む移動通信端末において、
移動通信網の各地域エリア別に、移動通信網設備の受話音声伝送特性の地域エリア間の差を打ち消すように差を設けた受話音量可変操作位置と受話音量調節値との対応関係情報を記憶手段に記憶させておき、
受話音量制御手段は、無線基地局から制御チャネルにより通知される位置情報に基づき地域エリアを判別し、記憶手段に記憶された内、当該判別された地域エリアの受話音量可変操作位置と受話音量調節値との対応関係に従い、受話音量可変操作手段での受話音量可変操作位置に応じた受話音量調節値を受話音量調節手段に設定するようにしたこと、
を特徴とする移動通信端末。
【発明の詳細な説明】
【０００１】
【発明の属する技術分野】
本発明は、移動通信端末に係り、とくにサービスエリアが複数の地域エリアに分割された移動通信網との無線接続により音声通信が可能な移動通信端末に関する。
【０００２】
【従来の技術】
携帯電話、ＰＨＳなどの移動通信端末は、移動通信網との無線接続により、音声通話が可能となる。移動通信網のサービスエリアは全国であったり、関東、近畿、中部の如く複数県にまたがるなど広範囲である。端末の呼び出しの際、サービスエリア内の全ての無線基地局から呼び出し信号を発することにすると、呼び出し要求の衝突を避けるためには利用可能者数が限られてしまう。そこで、サービスエリアを例えば県単位の如く、複数の地域エリア（制御ゾーンとも呼ばれる）に分割し、事前に移動通信端末がどの地域エリアに存在するか登録しておき、端末の呼び出しの際、移動通信端末の存在する地域エリア内の全ての無線基地局から呼び出し信号を発するようにしている。移動通信網は地域エリアの単位でシステムが構築されることが多く、１つの地域エリアは例えば多数の無線基地局と１つの移動通信制御局から成る。
【０００３】
ところで、移動通信端末の送話音量が大き過ぎたり、小さ過ぎたりすると、相手側でこちらの声が聞きづらくなってしまい、受話音量が大き過ぎたり、小さ過ぎたりすると、こちら側で相手の声が聞きづらくなってしまう。そこで、移動通信端末の送話音声信号系と受話音声信号系では、送話音量と受話音量がなるべく好ましい音量となるように送話音声信号レベルと受話音声信号レベルが調節されている。
【０００４】
【発明が解決しようとする課題】
けれども、たとえば同じ地域エリア内にある２つの移動通信端末間で通話する場面であっても、地域エリアが変わると相手側の移動通信端末での受話音量またはこちら側の移動通信端末での受話音量が変化してしまうことがある。これは、地域エリア毎に無線基地局や移動通信制御局などの移動通信設備のメーカが異なっていたり、メーカは同じでも設備の新旧の違いなどで、移動通信設備の音声信号伝送特性の内、とくにゲイン特性に差が存在するからである。なお、ディジタル移動通信の場合には、音声信号は符号化されて伝送されるので、移動通信設備の差の影響を受けないように思われるが、実際には、他の移動通信事業者との接続や固定電話網との接続などのため符号化音声信号の復号化、再符号化などの複雑な信号処理を行っていることなどにより、音量に差が生じる。
本発明は上記した従来技術の問題点に鑑みなされたもので、どの地域エリアで無線接続しても良好な音量で通話できる移動通信端末を提供することを、その目的とする。
また、本発明はマニュアル操作で受話音量が可変できる場合に、どの地域エリアで無線接続しても受話音量可変操作位置と実際の受話音量との関係が一定した移動通信端末を提供することを、その目的とする。
【０００５】
【課題を解決するための手段】
本発明の請求項１記載の発明は、サービスエリアが複数の地域エリアに分割される移動通信網との無線接続により音声通信が可能で、送話音声信号系に設けた送話音量調節手段に所定の送話音量調節値を設定して送話音量の調節を行うようにした移動通信端末において、移動通信網の各地域エリア別に、各々移動通信網設備の送話音声伝送特性の地域エリア間の差を打ち消すように差を設けた送話音量調節値を記憶した記憶手段と、無線基地局から制御チャネルにより通知される位置情報に基づき地域エリアを判別し、該判別した地域エリアに対応して記憶手段に記憶された送話音量調節値を読み出し、送話音量調節手段に設定する設定手段と、を備えたことを特徴としている。
ここで、各地域エリアの移動通信網設備の送話音声伝送特性の内、とくにゲイン特性には地域エリア間のバラツキが存在する。
請求項１によれば、送話音量調節手段には、地域エリア間の差を打ち消すように差を設けた送話音量調節値が設定されるので、移動通信端末を使用する地域エリアによらず、相手側での受話音量を常に一定したレベルに保つことができる。本発明の請求項２記載の発明は、サービスエリアが複数の地域エリアに分割される移動通信網との無線接続により音声通信が可能で、受話音声信号系に設けた受話音量調節手段に所定の受話音量調節値を設定して受話音量の調節を行うようにした移動通信端末において、移動通信網の各地域エリア別に、各々移動通信網設備の受話音声伝送特性の地域エリア間の差を打ち消すように差を設けた所定の受話音量調節値を記憶した記憶手段と、無線基地局から制御チャネルにより通知される位置情報に基づき地域エリアを判別し、該判別した地域エリアに対応して記憶手段に記憶された受話音量調節値を読み出し、受話音量調節手段に設定する設定手段と、を備えたことを特徴としている。
ここで、各地域エリアの移動通信網設備の受話音声伝送特性の内、とくにゲイン特性には地域エリア間のバラツキが存在する。
請求項２によれば、受話音量調節手段には、地域エリア間の差を打ち消すように差を設けた受話音量調節値が設定されるので、移動通信端末を使用する地域エリアによらず、こちら側での受話音量を常に一定したレベルに保つことができる。
本発明の請求項３記載の発明は、サービスエリアが複数の地域エリアに分割される移動通信網との無線接続により音声通信が可能であり、受話音声信号系に設けられた受話音量を調節する受話音量調節手段と、受話音量可変操作手段での受話音量可変操作位置と所定の対応関係に従う受話音量調節値を受話音量調節手段に設定する受話音量制御手段とを含む移動通信端末において、移動通信網の各地域エリア別に、移動通信網設備の受話音声伝送特性の地域エリア間の差を打ち消すように差を設けた受話音量可変操作位置と受話音量調節値との対応関係情報を記憶手段に記憶させておき、受話音量制御手段は、無線基地局から制御チャネルにより通知される位置情報に基づき地域エリアを判別し、記憶手段に記憶された内、当該判別された地域エリアの受話音量可変操作位置と受話音量調節値との対応関係に従い、受話音量可変操作手段での受話音量可変操作位置に応じた受話音量調節値を受話音量調節手段に設定するようにしたこと、を特徴としている。
移動通信端末の中には、受話音量可変操作手段の操作でユーザの好みに合わせて受話音量を可変可能なものがあり、耳が遠い人や周囲の騒音が大きい場所で使用する際に、受話音量の可変操作位置を音量が大きくなる方へ変えておくことで、良好に聞き取れるようにしたり、静かな環境下での使用時や、相手の声が小さく聞こえる方が聞き取り易い場合に、受話音量の可変操作位置を音量が小さくなる方へ変えておくことで、良好に聞き取れるようにしたりできる。
ところが、地域エリア毎に、網側の移動通信設備の受話音声伝送特性の内、とくにゲイン特性に差があるため、同じ受話音量可変操作位置でも地域エリアが変わったときに受話音量が変わってしまう恐れがある。
請求項３によれば、地域エリア間の差を打ち消すように差を設けた受話音量可変操作位置と受話音量調節値との対応関係に基づき、受話音量可変操作位置に対応する受話音量調節値が設定されるので、受話音量可変操作位置が同じならば地域エリアが変わっても同じ受話音量を具現でき、一貫した操作感覚を得ることができる。
【０００６】
【発明の実施の形態】
以下、図面に従って本発明の第１の実施の形態を説明する。図１は本発明に係るセルラー方式の移動通信システムの全体構成図、図２は無線基地局とＴＤＭＡ方式で無線接続する携帯電話の構成を示すブロック図である。
図１において、Ａ1 〜Ａn は各々、或るディジタル携帯電話事業者の移動通信網の地域エリアであり、１つの地域エリアＡi （但し、ｉ＝１、２、・・ｎ）の移動通信設備は、多数の無線基地局ＭＢＳi1、ＭＢＳi2・・と１つの移動通信制御局ＭＣＣi から成る。移動通信制御局ＭＣＣ1 、ＭＣＣ2 、・・の相互間は直接または間接的に回線で接続されている。
携帯電話ＭＳが或る１つの地域エリアＡi の中の或る１つの無線基地局ＭＢＳijの近くに存在するとき、携帯電話ＭＳは無線基地局ＭＢＳijと無線接続することで通話が可能となる。
【０００７】
ところで、各地域エリアＡ1 〜Ａn は、移動通信網の移動通信設備メーカの相違、同じメーカでも設備の新旧の相違などにより、音声伝送特性、とくに送受話音声信号に対するゲイン特性に差が有る場合が多い。仮に携帯電話ＭＳが送話音量の調節ができないタイプの場合、携帯電話ＭＳが存在する地域エリアによっては、送話音量が大きくなり過ぎたり、小さくなり過ぎたりして相手がこちらの声を聞きずらくなってしまうことがある。
同様に、携帯電話ＭＳが受話音量の調節ができないタイプの場合、携帯電話ＭＳが存在する地域エリアによっては、受話音量が大きくなり過ぎたり、小さくなり過ぎたりしてこちら側で相手の声を聞きずらくなってしまうことがある。
【０００８】
この実施の形態では、地域エリア毎に、網側の移動通信設備（無線基地局と移動通信制御局）の送受話音声伝送特性の内、とくにゲイン特性にバラツキがあっても、送話音量調節用のディジタルボリューム部には、地域エリア間の差を打ち消すように差を設けた送話音量調節値が設定されるので、移動通信端末を使用する地域エリアによらず、相手側での受話音量を常に一定したレベルに保つことができ、受話音量調節用のディジタルボリューム部には、地域エリア間の差を打ち消すように差を設けた受話音量調節値が設定されるので、移動通信端末を使用する地域エリアによらず、こちら側での受話音量を常に一定したレベルに保つことができる。
【０００９】
以下、図２を参照して携帯電話ＭＳの具体的構成を説明する。
１は送受共用のアンテナ、２は無線部であり、待ち受け中は間歇的に受信モードとされ、無線基地局からの所望周波数の連続的なＴＤＭ信号の内、共通アクセスチャネルを含むタイムスロットのアンテナ受波信号の低雑音増幅、周波数変換、ディジタル復調を行ってベースバンド受信ディジタル信号（受信ＴＤＭＡタイムスロット信号）をベースバンド信号処理部へ出力する。待ち受け中に発信要求や位置登録要求などの無線基地局側への送信が必要になると短時間だけ送信モードとされ、後述するベースバンド信号処理部から入力するバースト状のベースバンド送信ディジタル信号（送信ＴＤＭＡタイムスロット信号であり、共通双方向制御チャネルのデータを含む）のディジタル変調及び所望周波数への周波数変換と電力増幅を行ってアンテナ１へ出力する。また、無線部２は通話状態では、受信モード、送信モード、アイドルモードに巡回的に切り換えられる。送信モード時は後述するベースバンド信号処理部から入力するバースト状のベースバンド送信ディジタル信号（送信ＴＤＭＡタイムスロット信号であり、情報チャネルのデータを含む）のディジタル変調及び所望周波数への周波数変換と電力増幅を行ってアンテナ１へ出力し、受信モード時は無線基地局からの所望周波数の連続的なＴＤＭ信号の内、所望情報チャネルを含む所望タイムスロットのアンテナ受波信号の低雑音増幅、周波数変換、ディジタル復調を行ってベースバンド受信ディジタル信号（受信ＴＤＭＡタイムスロット信号）をベースバンド信号処理部へ出力する。なお、無線部２は受信電界強度を検出して出力する機能を有する。
【００１０】
３はベースバンド信号処理部（ＴＤＭＡ回路）であり、待ち受け状態では、無線部２から間歇的に入力する共通アクセスチャネルを含むタイムスロットのベースバンド受信ディジタル信号から共通アクセスチャネルのデータを抽出して後述するコントローラへ出力する。共通アクセスチャネルには、一斉呼び出しチャネルによる着信情報、報知チャネルによる基地局情報（無線基地局識別符号、地域エリアに対応する地域識別情報等）が含まれる。待ち受け中に発信要求や位置登録要求などの無線基地局側への送信が必要になると、コントローラから入力した発信要求信号や位置登録要求信号を共通双方向制御チャネル（個別セル用チャネル）のデータに含めた送信ＴＤＭＡタイムスロット信号を作成し、一時的に送信モードとされた無線部２へ出力する。
【００１１】
また、ベースバンド信号処理部３は、通話状態では、受信モードに在る無線部２から入力した受信ＴＤＭＡタイムスロット信号から情報チャネルのデータと付随制御チャネルのデータを抽出し、前者の内、高能率符号化受話音声データを復号（伸長）してディジタル受話音声信号として後述するディジタル音声信号処理部へ出力し、付随制御チャネルのデータはコントローラへ出力する。また、ベースバンド信号処理部３は、ディジタル音声信号処理部から入力したディジタル送話音声信号を高能率符号化して得た高能率符号化送話音声信号を含む情報チャネルのデータと、コントローラから入力した付随制御チャネルのデータから送信ＴＤＭＡタイムスロット信号を作成し、送信モードに在る無線部２へ出力する。
【００１２】
４はディジタル音声信号処理部であり、ディジタル送受話音声信号に対する周波数特性の加工（イコライジング）、ノイズ抑圧、音量調節、エコーキャンセル、側音付加などをディジタル領域で実行する。なお、ここでは説明の便宜上、エコーキャンセルと側音付加の説明を省略する。５はディジタル音声信号処理部４から出力されたディジタル受話音声信号をＤ／Ａ変換するＤ／Ａ変換器、６はＤ／Ａ変換器５の出力で駆動される受話スピーカ、７は送話マイク、８は送話マイク７から出力される送話音声信号をＡ／Ｄ変換してディジタル音声信号処理部４へ出力するＡ／Ｄ変換器である。
【００１３】
ディジタル音声信号処理部４は例えばＤＳＰ（ディジタルシグナルプロセッサ）を用いて具現される。ディジタル音声信号処理部４の内、１０はディジタル送話音声信号に対し音量調節を行う送話音量調節部としてのディジタルボリューム部、１１はディジタル送話音声信号に対しノイズ抑圧を行うディジタルノイズサプレッサ部、１２はディジタル送話音声信号に対する周波数特性の加工を行うディジタルイコライザ部である。ディジタルボリューム部１０、ディジタルノイズサプレッサ部１１、ディジタルイコライザ部１２により送話音声信号系が構成されている。
【００１４】
１３はディジタル受話音声信号に対し周波数特性の加工を行うディジタルイコライザ部、１４はディジタル受話音声信号に対しノイズ抑圧を行うディジタルノイズサプレッサ部、１５はディジタル受話音声信号に対し音量調節を行う受話音量調節部としてのディジタルボリューム部である。ディジタルイコライザ部１３、ディジタルノイズサプレッサ部１４、ディジタルボリューム部１５により受話音声信号系が構成されている。
ディジタルボリューム部１０、１５はディジタル送受話音声信号に対するゲインＧ、ｇを可変することで音量調節するようになっている。
【００１５】
地域エリア毎の移動通信網側の設備の送話音声伝送特性の内、とくにゲイン特性の地域差を加味して最適化した送話音量調節値をディジタルボリューム部１０に可変設定することで、地域エリアに応じた送話音量調節を行い、地域エリアの差によらず、相手側での受話音量が標準的な一定したレベルに保たれるようにする。
【００１６】
また、地域エリア毎の移動通信網側の設備の受話音声伝送特性の内、とくにゲイン特性の地域差を加味して最適化した受話音量調節値をディジタルボリューム部１５に可変設定することで、地域エリアに応じた受話音量調節を行い、地域エリアの差によらず、こちら側での受話音量が標準的な一定したレベルに保たれるようにする。
【００１７】
１６は呼び出し音を発するリンガ、１７は電源オン／オフ操作を行う電源キー、オフフック／オンフック操作を行うフックキーなどを有するキー操作部、１８は音量調節用ＲＯＭであり、地域エリアＡi （但し、ｉ＝１、２、・・ｎ）を示す地域識別情報（ここでは地域識別番号とする）Ａ−ＩＤi の別に、ディジタルボリューム部１０に対するゲインＧi と、ディジタルボリューム部１５に対するゲインｇi が予め記憶してある。Ｇi は地域エリアＡi の網側の移動通信設備の送話音声伝送特性の内、とくにゲイン特性に対し最適化したディジタルボリューム部１０のゲインであり、地域エリア間での網側の移動通信設備の送話音声伝送特性の内、とくにゲイン特性のバラツキを打ち消し、地域エリアによらず相手側で標準的な受話音量が得られるようにしたゲインである。また、ｇi は地域エリアＡi の網側の移動通信設備の受話音声伝送特性の内、とくにゲイン特性に対し最適化したディジタルボリューム部１５のゲインであり、地域エリア間での網側の移動通信設備の受話音声伝送特性の内、とくにゲイン特性のバラツキを打ち消し、地域エリアによらずこちら側で標準的な受話音量が得られるようにしたゲインである（図３参照）。
【００１８】
１９はマイコン構成のコントローラであり、待ち受け処理、位置登録処理、発信接続処理、着信接続処理など移動通信網との無線接続に必要な各種処理を行うほか、送話音声信号系のディジタルボリューム部１０と受話音声信号系のディジタルボリューム部１５に対し携帯電話ＭＳが存在する地域エリアに応じたゲインに可変設定することで、携帯電話ＭＳが存在する地域エリアがどこであるかに関わらず、相手側とこちら側で常に標準的な一定した音量が得られるようにする。
【００１９】
図４、図５はコントローラ１９の制御処理を示すフローチャートであり、以下、これらの図を参照してこの実施の形態の動作を説明する。
なお、携帯電話ＭＳは現在、地域エリアＡ1 の無線基地局ＭＢＳ11の近くに存在しているものとする（図１の実線Ｃ参照）。
【００２０】
（１）位置登録
キー操作部１７の電源キーを押して電源オン操作をすると、コントローラ１９は、各部に電源を供給させて稼働状態としたのち、無線部２を制御して受信モードとし、移動通信網の周波数帯域内を周波数サーチさせ、受信電界強度が一番大きく共通アクセスチャネルのデータを含むＴＤＭ信号電波に同調させるとともに、共通アクセスチャネルのデータを含むタイムスロットの受信ＴＤＭＡタイムスロット信号をベースバンド信号処理部３に出力させる（図４のステップＳ１）。ベースバンド信号処理部３は共通アクセスチャネルのデータを抽出してコントローラ１９へ出力する。コントローラ１９は共通アクセスチャネルの報知チャネルに含まれる無線基地局情報の内の地域識別情報（ここではＡ1 を示す地域識別番号Ａ−ＩＤ1 であったとする）を判読し（ステップＳ２）、既に内蔵メモリ１９Ａに現在位置情報として同じ地域識別番号が登録済であれば、待ち受け処理の側へ移行する（ステップＳ３でＹＥＳ）。ここでは登録済でなかったとすると今回受信した地域識別番号を内蔵メモリ１９Ａに現在位置情報Ａ−ＩＤI として登録後（ステップＳ３でＮＯ、Ｓ４）、無線部２とベースバンド信号処理部３を制御し、空きの共通双方向制御チャネルを用いて、位置登録信号（自機の機種識別番号と今回受信した地域識別番号を含む）を制御データに含む送信ＴＤＭＡタイムスロット信号を無線基地局Ａ1 の側に送信させる（ステップＳ５）。携帯電話ＭＳから位置登録信号を受信した無線基地局ＭＢＳ11は、上位の移動通信制御局ＭＣＣ1 を介してホームメモリ局（図示せず）へ送信し、位置登録させる。
【００２１】
（２）送受話音声信号系のディジタルボリューム部のゲイン設定
続いて、コントローラ１９は音量調節用ＲＯＭ１８から、今回受信した地域識別番号の示す地域エリアＡ1 に対応するゲインＧ1 を読み出しディジタルボリューム部１０のゲインＧとして設定することで、地域エリアＡ1 の中の無線基地局ＭＢＳ11、ＭＢＳ12、・・との通話接続時に、相手側で標準的な受話音量が得られるように設定する。また、音量調節用ＲＯＭ１８から、今回受信した地域識別情報の示す地域エリアＡ1 に対応するゲインｇ1 を読み出しディジタルボリューム部１５に設定することで、地域エリアＡ1 の中の無線基地局ＭＢＳ11、ＭＢＳ12、・・との通話接続時に、こちら側で標準的な受話音量が得られるように設定する（ステップＳ６）。
【００２２】
（３）待ち受け
このあと、コントローラ１９は待ち受け処理に移行する。待ち受け処理では無線部２を制御して受信モードと休止モードを交互に繰り返させ（図５のステップＳ２０、Ｓ２１、Ｓ２２）、受信モードでは、前回サーチした受信電界強度が一番大きく共通アクセスチャネルを含む周波数及びタイムスロットの受信ＴＤＭＡタイムスロット信号を受信させて一定以上の電界強度が有るかチェックする（ステップＳ２３）。一定以上の電界強度が有れば、ベースバンド信号処理部３により共通アクセスチャネルのデータを抽出させてコントローラ１９へ出力させる。コントローラ１９は、共通アクセスチャネルの内、報知チャネルに含まれる無線基地局情報の内の地域識別情報が内蔵メモリ１９Ａに登録済の現在位置情報と一致しているかチェックする（図４のステップＳ２、Ｓ３）。若し、携帯電話ＭＳの移動で一致しなければステップＳ４に進み、再度、前述した位置登録と送受話音声信号系のディジタルボリューム部１０、１５のゲインの再設定を行うが、ここではステップＳ３で一致していたとすると、共通アクセスチャネルの内、一斉報知チャネルで自局宛の着信があったかチェックし（ステップＳ７）、なければ待ち受けを継続する。
【００２３】
（４）着信通話または発信通話
待ち受け中に自局宛の着信があったとき（ホームメモリ局での位置登録に基づき、地域エリアＡ1 の全ての無線基地局ＭＢＳ11、ＭＢＳ12、・・から一斉呼び出しされる）、コントローラ１９は無線部２とベースバンド信号処理部３を制御し、共通双方向制御チャネルを用いて無線基地局ＭＢＳ11の側に着信応答（ここでは着信第１応答）したのち無線基地局ＭＢＳ11との連係で情報チャネルを確立する（ステップＳ８）。そして、ベースバンド信号処理部３から情報チャネルに付随した付随制御チャネルで呼び出し信号を入力すると、リンガ１６を駆動して呼び出し音を発生させる（ステップＳ９）。ユーザがフックキーの押圧でオフフック操作をすると、コントローラ１９は無線部２とベースバンド信号処理部３を制御し、付随制御チャネルで着信第２応答信号を送信させ、通話状態に移行する（ステップＳ１０、Ｓ１１）。また、待ち受け中にユーザがオフフック操作と相手先のダイヤル操作による発信操作をしたときは（図５のステップＳ２４でＹＥＳ）、発信接続処理をする。具体的には、コントローラ１９は無線部２とベースバンド信号処理部３を制御し、共通双方向制御チャネルを用いて無線基地局ＭＢＳ11の側に発信要求したのち無線基地局ＭＢＳ11との連係による情報チャネルの確立をする。相手側のオフフックに伴い通話状態となる（ステップＳ２５）。
【００２４】
通話状態では、コントローラ１９は所定のタイミングで無線部２を受信モード、送信モード、アイドルモードに巡回的に切り換える。受信モード時、無線基地局ＭＢＳ11から自局宛の情報チャネルを含む下りの受信ＴＤＭＡタイムスロット信号を無線部２が受信し、ベースバンド信号処理部３に出力する。ベースバンド信号処理部３は入力した受信ＴＤＭＡタイムスロット信号の情報チャネル中の高能率符号化受話音声信号を復号してディジタル受話音声信号に変換し、ベースバンド信号処理部３の内蔵バッファメモリ（図示せず）に一時記憶させる。そして、内蔵バッファメモリから連続的に読み出し、ディジタル音声信号処理部４へ出力させる。ベースバンド信号処理部３は通話中、ディジタル音声信号処理部４から連続的に入力したディジタル送話音声信号を高能率符号化して高能率符号化送話音声信号に変換し、内蔵バッファメモリに一時記憶する。そして、高能率符号化送話音声信号から成る情報チャネルを含む上りＴＤＭＡタイムスロット信号を作成し、所定のタイミングで送信モードとされた無線部２を介して無線基地局ＭＢＳ11の側に送信させる。
【００２５】
送話マイク７から入力された送話音声信号はＡ／Ｄ変換器８でディジタル送話音声信号に変換されたあと、ディジタル音声信号処理部４に入力される。ディジタル音声信号処理部４ではディジタルノイズサプレッサ部１１でノイズ成分が抑圧され、ディジタルイコライザ部１２で周波数特性が加工される。また、ディジタルボリューム部１０で音量調節される。ディジタルボリューム部１０には、地域エリアＡ1 の網側の移動通信設備の送話音声信号伝送特性の内、とくにゲイン特性を加味したゲインが設定してあるので、相手側は良好な受話音量が得られることになる。例えば、地域エリアＡ1 の網側の移動通信設備の送話音声信号に対するゲインが小さ過ぎる場合、ディジタルボリューム部１０には音量を大きくするゲインが設定され、反対に、地域エリアＡ1 の網側の移動通信設備の送話音声信号に対するゲインが大きすぎる場合、ディジタルボリューム部１０には音量を小さくするゲインが設定されるという具合にして、地域エリアＡ1 の網側の移動通信設備の送話音声信号伝送特性の内、とくにゲイン特性のバラツキを打ち消すような送話音量調節が自動的になされる。
【００２６】
ベースバンド信号処理部３から出力されたディジタル受話音声信号は、ディジタルノイズサプレッサ部１４でノイズ成分が抑圧され、ディジタルイコライザ部１３で周波数特性が加工され、ディジタルボリューム部１５で音量調節される。そして、Ｄ／Ａ変換器５でアナログ音声信号に変換されたあと、受話スピーカ６から出力される。ディジタルボリューム部１５には、地域エリアＡ1 の網側の移動通信設備の受話音声信号伝送特性の内、とくにゲイン特性を加味したゲインが設定してあるので、こちら側は良好な受話音量が得られることになる。例えば、地域エリアＡ1 の網側の移動通信設備の受話音声信号に対するゲインが小さ過ぎる場合、ディジタルボリューム部１５には音量を大きくするゲインが設定され、反対に、地域エリアＡ1 の網側の移動通信設備の受話音声信号に対するゲインが大きすぎる場合、ディジタルボリューム部１５には音量を小さくするゲインが設定されるという具合にして、地域エリアＡ1 の網側の移動通信設備の受話音声信号伝送特性の内、とくにゲイン特性のバラツキを打ち消すような受話音量調節が自動的になされる。
【００２７】
（５）終話
通話中にユーザがフックキーを押してオンフック操作をするか（ステップＳ１２でＹＥＳ）、相手がオンフック操作をし、下りの情報チャネルまたは情報チャネルに付随した付随制御チャネルで切断信号が受信されて、ベースバンド信号処理部３から入力されると（ステップＳ１３でＹＥＳ）、コントローラ１９は無線部２とベースバンド信号処理部３を制御し、無線基地局ＭＢＳ11との連係で切断処理をし、元の待ち受け状態に戻る（ステップＳ１４）。
【００２８】
（６）再位置登録とディジタルボリューム部のゲイン再設定
待ち受け中に、携帯電話ＭＳが移動し、無線基地局ＭＢＳ11から離れ、地域エリアＡ2 の無線基地局ＭＢＳ21に近づいたとき（図１の破線Ｄ参照）、前回サーチした共通アクセスチャネルを含むＴＤＭＡタイムスロット信号の受信電界強度が次第に小さくなり、ステップＳ２３でＮＯとなる。すると、コントローラ１９は図４のステップＳ１へ戻り、移動通信網の周波数帯域内を周波数サーチさせ、受信電界強度が一番大きく共通アクセスチャネルを含むＴＤＭ信号電波に同調させるとともに、共通アクセスチャネルを含むタイムスロットの受信ＴＤＭＡスロット信号をベースバンド信号処理部３に出力させる。ベースバンド信号処理部３は共通アクセスチャネルのデータを抽出してコントローラ１９へ出力する。コントローラ１９は共通アクセスチャネルの報知チャネルのデータに含まれる無線基地局情報の内の地域識別番号（ここではＡ2 を示すＡ−ＩＤ2 であったとする）を判読し（ステップＳ２）、内蔵メモリ１９Ａに登録済の現在位置情報と一致するかチェックする（ステップＳ３）。ＮＯとなるので、再度前述した位置登録をする。すなわち、内蔵メモリ１９Ａの現在位置情報を今回受信した地域識別番号に登録し直し（ステップＳ４）、位置登録信号（自機識別番号と地域識別情報を含む）を含む送信ＴＤＭＡタイムスロット信号を作成して送信させる（ステップＳ５）。
【００２９】
続いて、コントローラ１９は音量調節用ＲＯＭ１８から、今回受信した地域識別番号Ａ−ＩＤ2 の示す地域エリアＡ2 に対応するゲインＧ2 をディジタルボリューム部１０に設定することで、地域エリアＡ2 の中の無線基地局ＭＢＳ21、ＭＢＳ22、・・との通話接続時に、相手側で標準的な受話音量が得られるように設定する。また、音量調節用ＲＯＭ１８から、今回受信した地域識別情報の示す地域エリアＡ2 に対応するゲインｇ2 を読み出しディジタルボリューム部１５に設定することで、地域エリアＡ2 の中の無線基地局ＭＢＳ21、ＭＢＳ22、・・との通話接続時に、こちら側で標準的な受話音量が得られるように設定する（ステップＳ６）。
【００３０】
この結果、携帯電話ＭＳが地域エリアＡ1 からＡ2 に移ったとき、地域エリアＡ1 とＡ2 との間の網側の移動通信設備の送受話音声信号伝送特性の内のとくにゲイン特性の差を打ち消すような送受話音量調節が自動的になされるため、相手側は携帯電話ＭＳが地域エリアＡ1 にあったときの通話時と同じ標準的な受話音量が維持され、こちら側も携帯電話ＭＳが地域エリアＡ1 にあったときの通話時と同じ標準的な受話音量が維持されることになる。携帯電話ＭＳが他の地域エリアＡ3 、Ａ4 ・・に移動したときも全く同様である。
【００３１】
この実施の形態によれば、各地域エリアＡ1 、Ａ2 、Ａ3 、Ａ4 ・・の別に、地域エリア内の移動通信を担う網側の移動通信設備（無線基地局と移動通信制御局）の送話音声伝送特性の内、とくにゲイン特性の地域エリア間の差を打ち消すように差を設けた所定のゲインＧ1 、Ｇ2 、Ｇ3 、Ｇ4 ・・と、地域エリア内の移動通信を担う網側の移動通信設備の受話音声伝送特性の内、とくにゲイン特性の地域エリア間の差を打ち消すように差を設けた所定のゲインｇ1 、ｇ2 、ｇ3 、ｇ4 ・・・が音量調節用ＲＯＭ１８に記憶されている。そして、携帯電話ＭＳが存在する地域エリアＡi の無線基地局ＭＳＢijから制御チャネルにより通知される地域識別情報に基づき地域エリアを判別し、該判別した地域エリアに対応付けて音量調節用ＲＯＭ１８に記憶された送話音量調節用のゲインを読み出し、送話音声信号系に設けられたディジタルボリューム部１０に設定するので、携帯電話ＭＳを使用する地域エリアがどこであるかによらず、相手側での受話音量を常に一定したレベルに保つことができ、当該判別した地域エリアに対応付けて音量調節用ＲＯＭ１８に記憶された受話音量調節用のゲインを読み出し、受話音声信号系に設けられたディジタルボリューム部１５に設定するので、携帯電話ＭＳを使用する地域エリアがどこであるかによらず、こちら側の受話音量を常に一定したレベルに保つことができる。
【００３２】
図６は本発明の第２の実施の形態に係る携帯電話ＭＳ´の具体的構成図であり、図２と同一の構成部分には同一の符号が付してある。
図２の携帯電話ＭＳではユーザは受話音量をマニュアル操作で可変できなかったが、図６の携帯電話ＭＳ´は受話音量をマニュアル操作で可変可能になっている。
キー操作部１７´には、受話音量アップ／ダウンキー１７０が付加されており、この受話音量アップ／ダウンキー１７０の操作により、最小受話音量位置１から最大受話音量位置１０まで１０段階の操作位置の内、任意の１つの受話音量可変操作位置（Ｐで表す）へ可変操作できる。
【００３３】
コントローラ１９´は、ユーザが耳が遠かったり周囲の環境が騒がしいなどのため、受話音量アップ／ダウンキー１７０で受話音量アップ操作をする度に、Ｐを１つずつ増やし（但し、Ｐが１０に達しているときは変化させない）、反対に、相手の声を小さくして聞きたいなどのため、受話音量アップ／ダウンキー１７０で受話音量ダウン操作をする度に、Ｐを１つずつ減らす（但し、Ｐが１に達しているときは変化させない）。そして、Ｐが増減する度にディジタルボリューム部１５の音量調節値であるゲインｇを増減させる。
【００３４】
ここで、受話音量の可変操作位置Ｐとディジタルボリューム部１５のゲインｇとの従来の対応関係は図７に示す如く１種類であった。しかし、前述した如く、地域エリア毎に、網側の移動通信設備（無線基地局と移動通信制御局）の受話音声伝送特性の内、とくにゲイン特性にバラツキが存在することから、携帯電話ＭＳ´を使用する地域エリアが変わると受話音量可変操作位置と受話音量との関係が変わってしまい、地域エリアの変わる前後で同じ受話音量を得るためには操作位置を変えなければならないという面倒が起きる。例えばＰ＝１〜１０の１０段階の操作位置のうち、耳が遠いためそれまで居た地域エリアではＰ＝７の受話音量可変操作位置に合わせていたところ、地域エリアが変わり、網側の移動通信設備での受話音声信号に対するゲインが下がってしまった場合、受話音量が下がるので、Ｐ＝８や９の受話音量可変操作位置に変えないと良く聞こえなくなってしまったり、反対に、網側の移動通信設備での受話音声信号に対するゲインが上がってしまった場合、受話音量が上がるので、Ｐ＝６や５の受話音量可変操作位置に変えないと相手の声が大きすぎてしまう。
【００３５】
この実施の形態では、各地域エリア別に、網側の移動通信設備の受話音声伝送特性の内、とくにゲイン特性の地域エリア間の差を打ち消すように差を設けた受話音量可変操作位置とディジタルボリューム部１５のゲインｇの対応関係情報を用意しておき、携帯電話ＭＳ´の存在する地域エリアが変わったときは、受話音量可変操作位置とディジタルボリューム部１５のゲインｇの対応関係を自動的に切り替えることで、地域エリア間で網側の移動通信設備の受話音声伝送特性の内、とくにゲイン特性にバラツキがあったとしても、どの地域エリアでの通話でも、受話音量可変操作位置と受話音量との関係が同じとなるようにしてある。
【００３６】
音量調節用ＲＯＭ１８´には、各地域エリアＡi （但し、ｉ＝１、２、・・ｎ）を示す地域識別情報（ここでは地域識別番号とする）Ａ−ＩＤi の別に、地域エリアＡi の中の無線基地局ＭＢＳi1、ＭＢＳi2、・・との通話接続時に適するディジタルボリューム部１０のゲインであり、地域エリアＡi の網側の移動通信設備の送話音声伝送特性の内、とくにゲイン特性の地域エリア間でのバラツキを打ち消し、地域エリアによらず相手側で標準的な受話音量が得られるようにしたゲインＧi が予め記憶してある（この点は第１の実施の形態と同じ）。
【００３７】
また、音量調節用ＲＯＭ１８´には、各地域エリアＡi （但し、ｉ＝１、２、・・ｎ）を示す地域識別情報（ここでは地域識別番号とする）Ａ−ＩＤi の別に、地域エリアＡi の中の無線基地局ＭＢＳi1、ＭＢＳi2、・・との通話接続時に適するディジタルボリューム部１５の受話音量可変操作位置毎のゲインｇi （Ｐ）（Ｐ＝１、２、３、・・・、１０）が予め記憶されている（図８、図９参照）。ｉが同じゲインｇi （１）〜ｇi （１０）の群は、地域エリアＡi において、コントローラ１９´がディジタルボリューム部１５のゲインを設定するために用いる受話音量可変操作位置とゲインの対応関係情報である。この受話音量可変操作位置とゲインの対応関係情報に地域エリアによる差が有る場合が有るのは、地域エリア間で、網側の移動通信設備の受話音声信号伝送特性の内、とくにゲイン特性に存在するバラツキを打ち消し、地域エリアによらず受話音量可変操作位置と受話音量の対応関係が一定となるようにするためである。
なお、受話音量可変操作位置Ｐ＝５のｇ1 （５）、ｇ2 （５）、・・、ｇn （５）は各々、図３中のｇ1 、ｇ2 、・・、ｇn と同一のゲインであり、Ｐ＝５は標準的な受話音量の得られる操作位置である。
【００３８】
コントローラ１９´は、待ち受け処理、位置登録処理、発信接続処理、着信接続処理など移動通信網との無線接続に必要な各種処理を行うほか、送話音声信号系のディジタルボリューム部１０と受話音声信号系のディジタルボリューム部１５に対する音量調節制御処理を行う。
携帯電話ＭＳ´の内、その他の構成部分は図２と全く同様に構成されている。
【００３９】
図１０と図１１はコントローラ１９´のメイン制御処理を示すフローチャート、図１２はコントローラ１９´の割り込み制御処理を示すフローチャートであり、以下、これらの図を参照してこの実施の形態の動作を説明する。
なお、携帯電話ＭＳ´は現在、地域エリアＡ1 の無線基地局ＭＢＳ11の近くに存在しているものとする（図１の実線Ｃ参照）。また、コントローラ１９´の内蔵メモリ１９Ａで管理している受話音量可変操作位置Ｐが最初は標準的なＰ＝５となっているものとする。
【００４０】
（１）位置登録
キー操作部１７´の電源キーを押して電源オン操作をすると、コントローラ１９´は、各部に電源を供給させて稼働状態としたのち、無線部２を制御して受信モードとし、移動通信網の周波数帯域内を周波数サーチさせ、受信電界強度が一番大きく共通アクセスチャネルのデータを含むＴＤＭ信号電波に同調させるとともに、共通アクセスチャネルのデータを含むタイムスロットの受信ＴＤＭＡタイムスロット信号をベースバンド信号処理部３に出力させる（図１０のステップＳ１）。ベースバンド信号処理部３は共通アクセスチャネルのデータを抽出してコントローラ１９へ出力する。コントローラ１９は共通アクセスチャネルの報知チャネルに含まれる無線基地局情報の内の地域識別情報（ここではＡ1 を示す地域識別番号Ａ−ＩＤ1 であったとする）を判読し（ステップＳ２）、既に内蔵メモリ１９Ａに現在位置情報として登録済であれば、待ち受け処理の側へ移行する（ステップＳ３でＹＥＳ）。ここでは登録済でなかったとすると今回受信した地域識別番号を内蔵メモリ１９Ａに現在位置情報Ａ−ＩＤI として登録後（ステップＳ３でＮＯ、Ｓ４）、無線部２とベースバンド信号処理部３を制御し、空きの共通双方向制御チャネルを用いて、位置登録信号（自機の機種識別番号と今回受信した地域識別番号を含む）を制御データに含む送信ＴＤＭＡタイムスロット信号を無線基地局Ａ1 の側に送信させる（ステップＳ５）。携帯電話ＭＳから位置登録信号を受信した無線基地局ＭＢＳ11は、上位の移動通信制御局ＭＣＣ1 を介してホームメモリ局（図示せず）へ送信し、位置登録させる。
【００４１】
（２）送受話音声信号系のディジタルボリューム部のゲイン設定
続いて、コントローラ１９は音量調節用ＲＯＭ１８´から、現在位置情報の示す地域エリアＡI ＝Ａ1 に対応するゲインＧ1 を読み出しディジタルボリューム部１０のゲインＧとして設定することで、地域エリアＡ1 の中の無線基地局ＭＢＳ11、ＭＢＳ12、・・との通話接続時に、相手側で標準的な受話音量が得られるように設定する。また、音量調節用ＲＯＭ１８´の内、現在位置情報の示す地域エリアＡI ＝Ａ1 に適した受話音量可変操作位置とディジタルボリューム部１５のゲインｇの対応関係情報（ｇ1 （１）〜ｇ1 （１０）のゲイン群）を用いて、現在の受話音量可変操作位置に対応するディジタルボリューム部１５のゲインｇ1 （５）を求めディジタルボリューム部１５に設定することで、地域エリアＡ1 の中の無線基地局ＭＢＳ11、ＭＢＳ12、・・との通話接続時に適した標準的な受話音量が得られるように設定する（ステップＳ６´）。
【００４２】
（３）待ち受け
このあと、コントローラ１９´は待ち受け処理に移行する。待ち受け処理では無線部２を制御して受信モードと休止モードを交互に繰り返させ（図１１のステップＳ２０、Ｓ２１、Ｓ２２）、受信モードでは、前回サーチした受信電界強度が一番大きく共通アクセスチャネルを含む周波数及びタイムスロットの受信ＴＤＭＡタイムスロット信号を受信させて一定以上の電界強度が有るかチェックする（ステップＳ２３）。一定以上の電界強度が有れば、ベースバンド信号処理部３により共通アクセスチャネルのデータを抽出させてコントローラ１９´へ出力させる。コントローラ１９´は、共通アクセスチャネルの内、報知チャネルに含まれる無線基地局情報の内の地域識別情報が内蔵メモリ１９Ａに登録済の現在位置情報Ａ−ＩＤI と一致しているかチェックする（図１０のステップＳ２、Ｓ３）。若し、携帯電話ＭＳ´の移動で一致しなければステップＳ４に進み、再度、前述した位置登録と送受話音声信号系のディジタルボリューム部１０、１５のゲインの再設定を行うが、ここではステップＳ３で一致していたとすると、共通アクセスチャネルの内、一斉報知チャネルで自局宛の着信があったかチェックし（ステップＳ７）、なければ待ち受けを継続する。
【００４３】
（４）着信通話または発信通話
待ち受け中に自局宛の着信があったとき（ホームメモリ局での位置登録に基づき、地域エリアＡ1 の全ての無線基地局ＭＢＳ11、ＭＢＳ12、・・から一斉呼び出しされる）、コントローラ１９´は無線部２とベースバンド信号処理部３を制御し、共通双方向制御チャネルを用いて無線基地局ＭＢＳ11の側に着信応答（ここでは着信第１応答）したのち無線基地局ＭＢＳ11との連係で情報チャネルを確立する（ステップＳ８）。そして、ベースバンド信号処理部３から情報チャネルに付随した付随制御チャネルで呼び出し信号を入力すると、リンガ１６を駆動して呼び出し音を発生させる（ステップＳ９）。ユーザがフックキーの押圧でオフフック操作をすると、コントローラ１９´は無線部２とベースバンド信号処理部３を制御し、付随制御チャネルで着信第２応答信号を送信させ、通話状態に移行する（ステップＳ１０、Ｓ１１）。また、待ち受け中にユーザがオフフック操作と相手先のダイヤル操作による発信操作をしたときは（図１１のステップＳ２４でＹＥＳ）、発信接続処理をする。具体的には、コントローラ１９´は無線部２とベースバンド信号処理部３を制御し、共通双方向制御チャネルを用いて無線基地局ＭＢＳ11の側に発信要求したのち無線基地局ＭＢＳ11との連係による情報チャネルの確立をする。相手側のオフフックに伴い通話状態となる（ステップＳ２５）。
【００４４】
通話状態では、コントローラ１９´は所定のタイミングで無線部２を受信モード、送信モード、アイドルモードに巡回的に切り換える。受信モード時、無線基地局ＭＢＳ11から自局宛の情報チャネルを含む下りの受信ＴＤＭＡタイムスロット信号を無線部２が受信し、ベースバンド信号処理部３に出力する。ベースバンド信号処理部３は入力した受信ＴＤＭＡタイムスロット信号の情報チャネル中の高能率符号化受話音声信号を復号してディジタル受話音声信号に変換し、内蔵バッファメモリに一時記憶させる。そして、内蔵バッファメモリから連続的に読み出し、ディジタル音声信号処理部４へ出力させる。ベースバンド信号処理部３は通話中、ディジタル音声信号処理部４から連続的に入力したディジタル送話音声信号を高能率符号化して高能率符号化送話音声信号に変換し、内蔵バッファメモリに一時記憶する。そして、高能率符号化送話音声信号から成る情報チャネルを含む上りＴＤＭＡタイムスロット信号を作成し、所定のタイミングで送信モードとされた無線部２を介して無線基地局ＭＢＳ11の側に送信させる。
【００４５】
送話マイク７から入力された送話音声信号はＡ／Ｄ変換器８でディジタル送話音声信号に変換されたあと、ディジタル音声信号処理部４に入力される。ディジタル音声信号処理部４ではディジタルノイズサプレッサ部１１でノイズ成分が抑圧され、ディジタルイコライザ部１２で周波数特性が加工される。また、ディジタルボリューム部１０で音量調節される。ディジタルボリューム部１０には、地域エリアＡ1 の網側の移動通信設備の送話音声信号伝送特性の内、とくにゲイン特性を加味したゲインが設定してあるので、相手側は標準的な受話音量が得られることになる。
【００４６】
ベースバンド信号処理部４から出力されたディジタル受話音声信号は、ディジタルノイズサプレッサ部１４でノイズ成分が抑圧され、ディジタルイコライザ部１３で周波数特性が加工され、ディジタルボリューム部１５で音量調節される。そして、Ｄ／Ａ変換器５でアナログ音声信号に変換されたあと、受話スピーカ６から出力される。ディジタルボリューム部１５には、地域エリアＡ1 の網側の移動通信設備（無線基地局と移動通信制御局）の受話音声伝送特性の内、とくにゲイン特性を加味したゲインが設定してあるので、こちら側も標準的な受話音量が得られることになる。
【００４７】
（５）受話音量の可変操作
コントローラ１９´は電源オン後、図１０及び図１１のメイン制御処理と平行して図１２の割り込み制御処理を定期的に繰り返しており、受話音量アップ／ダウンキー１７０でアップ操作またはダウン操作がされたかチェックしている（図１２のステップＳ３０、Ｓ３１）。
通話中にユーザが例えば耳が遠いため受話音量を標準より増大したい場合、キー操作部１７´の受話音量アップ／ダウンキー１７０を操作して、所望回数だけアップ操作をする。１回目のアップ操作をするとコントローラ１９´は現在位置情報が登録済かチェックし、ＹＥＳなので続いてＰ＝１０かチェックする（ステップＳ３２、Ｓ３３）。ＮＯなのでＰを＋１して６とし（ステップＳ３４）、音量調節用ＲＯＭ１８´の内、現在位置情報の示す地域エリアＡI ＝Ａ1 に適した受話音量可変操作位置とディジタルボリューム部１５のゲインｇの対応関係情報（ｇ1 （１）〜ｇ1 （１０）のゲイン群）を用いて、地域エリアＡI ＝Ａ1 でかつＰ＝６に対応するディジタルボリューム部１５のゲインｇ1 （６）を求めディジタルボリューム部１５に設定する（ステップＳ３５）。この結果、受話音量が１段階増大する。
【００４８】
まだ受話音量が足らず、続けて２回目、３回目のアップ操作をすると同様にしてＰが８となり、ゲインｇ1 （８）がディジタルボリューム部１５に設定される。この結果、受話音量が２段階増大する。大きくなり過ぎた場合、キー操作部１７´の受話音量アップ／ダウンキー１７０を操作して、１回ダウン操作をするとコントローラ１９´は現在位置情報が登録済かチェックし、ＹＥＳなので続いてＰ＝１かチェックする（ステップＳ３１、Ｓ３６、Ｓ３７）。ＮＯなのでＰを−１して７とし（ステップＳ３８）、音量調節用ＲＯＭ１８´の内、現在位置情報の示す地域エリアＡI ＝Ａ1 に適した受話音量可変操作位置とディジタルボリューム部１５のゲインｇの対応関係情報（ｇ1 （１）〜ｇ1 （１０）のゲイン群）を用いて、Ｐ＝７に対応するディジタルボリューム部１５のゲインｇ1 （７）を求めディジタルボリューム部１５に設定する。この結果、受話音量が１段階減少する。
【００４９】
（６）終話
通話中にフックキーを押してオンフック操作をするか（図１０のステップＳ１２でＹＥＳ）、相手がオンフック操作をし、下りの情報チャネルまたは情報チャネルに付随した付随制御チャネルで切断信号が受信されて、ベースバンド信号処理部３から入力されると（ステップＳ１３でＹＥＳ）、コントローラ１９は無線部２とベースバンド信号処理部３を制御し、無線基地局ＭＢＳ11との連係で切断処理をし、元の待ち受け状態に戻る（ステップＳ１４）。
なお、待ち受け中にユーザが受話音量可変操作をした場合も、前述と同様にしてディジタルボリューム部１５の設定ゲインが可変する。
以下では、Ｐ＝７であったとして説明する。
【００５０】
（７）再位置登録と送受話音声信号系のディジタルボリューム部の再設定
待ち受け中に、携帯電話ＭＳ´が移動し、無線基地局ＭＢＳ11から離れ、地域エリアＡ2 の無線基地局ＭＢＳ21に近づいたとき（図１の破線Ｄ参照）、前回サーチした共通アクセスチャネルを含むＴＤＭＡタイムスロット信号の受信電界強度が次第に小さくなり、ステップＳ２３でＮＯとなる。すると、コントローラ１９´は図１０のステップＳ１へ戻り、移動通信網の周波数帯域内を周波数サーチさせ、受信電界強度が一番大きく共通アクセスチャネルを含むＴＤＭ信号電波に同調させるとともに、共通アクセスチャネルを含むタイムスロットの受信ＴＤＭＡスロット信号をベースバンド信号処理部３に出力させる。ベースバンド信号処理部３は共通アクセスチャネルのデータを抽出してコントローラ１９´へ出力する。コントローラ１９´は共通アクセスチャネルの報知チャネルのデータに含まれる無線基地局情報の内の地域識別番号（ここではＡ2 を示すＡ−ＩＤ2 であったとする）を判読し（ステップＳ２）、内蔵メモリ１９Ａに登録済の現在位置情報Ａ−ＩＤI と一致するかチェックする（ステップＳ３）。ＮＯとなるので、再度前述した位置登録をする。すなわち、内蔵メモリ１９Ａの現在位置情報を今回受信した地域識別番号に登録し直し（ステップＳ４）、位置登録信号（自機識別番号と地域識別情報を含む）を含む送信ＴＤＭＡタイムスロット信号を作成して送信させる（ステップＳ５）。
【００５１】
続いて、コントローラ１９´は音量調節用ＲＯＭ１８´から、現在位置情報の示す地域エリアＡI ＝Ａ2 に対応するゲインＧ2 を読み出しディジタルボリューム部１０のゲインＧとして設定することで、地域エリアＡ2 の中の無線基地局ＭＢＳ21、ＭＢＳ22、・・との通話接続時に、相手側で標準的な受話音量が得られるように設定する。また、音量調節用ＲＯＭ１８´の内、現在位置情報Ａ−ＩＤI の示す地域エリアＡI ＝Ａ2 に適した受話音量可変操作位置とディジタルボリューム部１５のゲインｇの対応関係情報（ｇ2 （１）〜ｇ2 （１０）のゲイン群）を用いて、現在の受話音量可変操作位置に対応するディジタルボリューム部１５のゲインｇ2 （７）を求めディジタルボリューム部１５に設定することで、地域エリアＡ2 の中の無線基地局ＭＢＳ21、ＭＢＳ22、・・との通話接続時に、地域エリアＡ1 で受話音量可変操作位置を７としていた場合と同じ受話音量が得られるようにし、耳が遠くても相手の声が良好に聞こえるようにする（ステップＳ６´）。
【００５２】
この結果、携帯電話ＭＳ´が地域エリアＡ1 からＡ2 に移ったとき、地域エリアＡ1 とＡ2 との間の網側の移動通信設備の送受話音声伝送特性の内、とくにゲイン特性の差を打ち消す送受話音量調節が自動的になされるため、相手側は携帯電話ＭＳが地域エリアＡ1 にあったときの通話時と同じ良好な受話音量が得られ、こちら側も携帯電話ＭＳ´が地域エリアＡ1 にあったときの通話時と同じ受話音量が得られることになり、とくに受話音量可変操作をしなくて済む。携帯電話ＭＳ´が他の地域エリアＡ3 、Ａ4 ・・に移動したときも全く同様である。
【００５３】
この実施の形態によれば、各地域エリアＡ1 、Ａ2 、Ａ3 、Ａ4 ・・の別に、地域エリア内の移動通信を担う網側の移動通信設備（無線基地局と移動通信制御局）の送話音声伝送特性の内、とくにゲイン特性の地域エリア間の差を打ち消すように差を設けた所定のゲインＧ1 、Ｇ2 、Ｇ3 、Ｇ4 ・・が音量調節用ＲＯＭ１８´に記憶されている。そして、携帯電話ＭＳが存在する地域エリアＡi の無線基地局ＭＳＢijから制御チャネルにより通知される地域識別情報に基づき地域エリアを判別し、該判別した地域エリアに対応付けて音量調節用ＲＯＭ１８´に記憶された送話音量調節用のゲインを読み出し、送話音声信号系に設けられたディジタルボリューム部１０に設定するので、携帯電話ＭＳを使用する地域エリアがどこであるかによらず、相手側での受話音量を常に一定したレベルに保つことができる。
また、各地域エリアＡ1 、Ａ2 、Ａ3 、Ａ4 ・・の別に、地域エリア内の移動通信を担う網側の移動通信設備（無線基地局と移動通信制御局）の受話音声伝送特性の内、とくにゲイン特性の地域エリア間の差を打ち消すように差を設けた受話音量可変操作位置とディジタルボリューム部１５のゲインとの対応関係情報が音量調節用ＲＯＭ１８´に記憶されている。そして、携帯電話ＭＳ´が存在する地域エリアＡi の無線基地局ＭＳＢijから制御チャネルにより通知される地域識別情報に基づき地域エリアを判別し、該判別した地域エリアに対応付けて音量調節用ＲＯＭ１８´に記憶された受話音量可変操作位置とディジタルボリューム部１５のゲインとの対応関係情報を用いて、現在の受話音量可変操作位置に対するゲインをディジタルボリューム部１５に設定するので、どの地域エリアでの通話でも、同じ受話音量可変操作位置なら同じ受話音量が自動的に得られるようになる。
【００５４】
なお、図６の実施の形態において、受話音量可変操作位置は１〜１０の１０段階の可変操作ができるようにしたが、５段階、７段階、１２段階など１０段階以外に可変できるようにしても良く、更に、１から１０まで無段階に連続的に可変できるようにしても良い。
また、上記した各実施の形態では、送話音量調節手段と受話音量調節手段をディジタル領域で構成したが、アナログ領域で構成しても良い。
また、地域エリアは、地域識別情報により判別したが、報知チャネルで無線基地局識別情報が送信されることから、予め、無線基地局識別情報と地域エリアとの対応表を音量調節用ＲＯＭに記憶しておき、受信した無線基地局識別情報に基づき、無線基地局識別情報と地域エリアとの対応表から地域エリアを判別するようにしても良い。
また、上記した各実施の形態は本発明を携帯電話に適用した場合を例に挙げたが、ＰＨＳ（パーソナルハンディフォンシステム）、業務用および趣味用の無線機などにも利用できる。
【００５５】
【発明の効果】
この発明の１つによれば、移動通信端末の存在する地域エリアが変われば、新たな地域エリアの網側の移動通信設備の送（受）話音声信号伝送特性に適した送（受）話音量調節値に自動設定されるので、地域エリア毎に網側の移動通信設備の送（受）話音声信号伝送特性のとくにゲイン特性に差が存在していても、相手側（こちら側）では常に良好な受話音量が得られる。
また、他の１つの発明によれば、地域エリア間の差を打ち消すように差を設けた受話音量可変操作位置と受話音量調節値との対応関係に基づき、受話音量可変操作位置に対応する受話音量調節値が設定されるので、受話音量可変操作位置が同じならば地域エリアが変わっても同じ受話音量を具現でき、一貫した操作感覚を得ることができる。
【図面の簡単な説明】
【図１】本発明の第１の実施の形態に係る移動通信システムの全体構成図である。
【図２】本発明の第１の実施の形態に係る携帯電話を示すブロック図である。
【図３】図２中の音量調節用ＲＯＭの記憶内容の説明図である。
【図４】図２中のコントローラの制御処理を示すフローチャートである。
【図５】図２中のコントローラの制御処理を示すフローチャートである。
【図６】本発明の第２の実施の形態に係る携帯電話を示すブロック図である。
【図７】受話音量可変操作位置と受話音声信号系のディジタルボリューム部のゲインとの従来の関係を示す線図である。
【図８】図６中の音量調節用ＲＯＭの記憶内容の説明図である。
【図９】第２の実施の形態における受話音量可変操作位置と受話音声信号系のディジタルボリューム部のゲインとの対応関係を示す線図である。
【図１０】図６中のコントローラの制御処理を示すフローチャートである。
【図１１】図６中のコントローラの制御処理を示すフローチャートである。
【図１２】図６中のコントローラの制御処理を示すフローチャートである。
【符号の説明】
１  アンテナ                        ２  無線部
３  ベースバンド信号処理部          ４  ディジタル音声信号処理部
６  受話スピーカ                    ７  送話マイク
１０、１５  ディジタルボリューム部
１７、１７´  キー操作部
１７０  受話音量アップ／ダウンキー
１８、１８´  音量調節用ＲＯＭ
１９、１９´  コントローラ
１９Ａ  内蔵メモリ
【図１】
0003782674.tif 000002
【図２】
0003782674.tif 000003
【図３】
0003782674.tif 000004
【図４】
0003782674.tif 000005
【図５】
0003782674.tif 000006
【図６】
0003782674.tif 000007
【図７】
0003782674.tif 000008
【図８】
0003782674.tif 000009
【図９】
0003782674.tif 000010
【図１０】
0003782674.tif 000011
【図１１】
0003782674.tif 000012
【図１２】
0003782674.tif 000013